(57)【要約】【課題】  より高品位であり、より確実に対物レンズおよび情報記録媒体を保護できる光ピックアップを提供することである。【解決手段】  レーザ光を収束して情報記録媒体１７に照射する対物レンズ１６と、該対物レンズ１６の周縁を囲み、該対物レンズの光軸を中心とした円形状の外周縁を有し、該対物レンズと連動して回転する回転枠体１９と、該回転枠体１９を回転可能に支持する凹段部１０を有し、回転調整後、該回転枠体１９と結合されるレンズホルダ１５と、該回転枠体１９から情報記録媒体１７側に突出した突出部２０とを備えたことを特徴とする光ピックアップ。【選択図】図３
2008243287.tif 000002
【特許請求の範囲】
【請求項１】
レーザ光を収束して情報記録媒体に照射する対物レンズと、
該対物レンズの周縁を囲み、該対物レンズの光軸を中心とした円形状の外周縁を有し、該対物レンズと連動して回転する回転枠体と、
該回転枠体を回転可能に支持する凹段部を有し、回転調整後、該回転枠体と結合されるレンズホルダと、
該回転枠体から情報記録媒体側に突出した突出部とを備えたことを特徴とする光ピックアップ。
【請求項２】
対物レンズの外縁に半径方向外向きに延びる延伸部を備え、回転枠体に前記延伸部に係合する係合部を備えたことを特徴とする請求項1に記載の光ピックアップ。
【請求項３】
対物レンズの延伸部が棒状体であり、回転枠体の係合部が前記棒状体に係合する係合凹部であることを特徴とする請求項２に記載の光ピックアップ。
【請求項４】
対物レンズの外周縁が円形の一部の円弧状部分を除去した変円形であり、対物レンズの延伸部が、対物レンズの除去された円弧状部分の範囲内に収まることを特徴とする請求項２または３に記載の光ピックアップ。
【請求項５】
対物レンズの材質が合成樹脂からなることを特徴とする請求項１〜４のいずれか１つに記載の光ピックアップ。
【請求項６】
対物レンズの延伸部が、対物レンズ成形時のゲートで得られることを特徴とする請求項５に記載の光ピックアップ。
【請求項７】
前記回転枠体から情報記録媒体側に突出した突出部に、突出方向から見て中央部位置に、凹部を有することを特徴とする請求項1〜６のいずれか１つに記載の光ピックアップ。
【請求項８】
前記突出部が、４個以上であることを特徴とする請求項１〜７のいずれか１つに記載の光ピックアップ。
【請求項９】
前記回転枠体の前記対物レンズとの結合面に、対物レンズに対向した切欠を有することを特徴とする請求項1〜８のいずれか１つに記載の光ピックアップ。
【請求項１０】
前記回転枠体の外周縁に歯部を有し、レンズホルダに形成された凹段部に回転枠体の歯部を解除可能に係合させるためのストッパを有することを特徴とする請求項1〜９のいずれか１つに記載の光ピックアップ。
【請求項１１】
前記回転枠体の外周縁に歯部を有し、レンズホルダに形成された凹段部の一部に、回転枠体の歯部に解除可能に噛み合う駆動歯車を備えたことを特徴とする請求項1〜９のいずれか１つに記載の光ピックアップ。
【請求項１２】
レーザ素子より放射されるレーザ光を収束して情報記録媒体に照射し、該情報記録媒体からの反射光を受光して情報を再生または／および記録する情報記録再生装置において、
レーザ光を収束して情報記録媒体に照射するための対物レンズと、
該対物レンズの周縁を囲み、該対物レンズの光軸を中心とした円形状の外周縁を有し、該対物レンズと連動して回転する回転枠体と、
該回転枠体を回転可能に支持する凹段部を有し、回転調整後、該回転枠体と結合されるレンズホルダと、
該回転枠体から情報記録媒体側に突出した突出部とを備えた光ピックアップと、
情報記録媒体を装着でき、該情報記録媒体に対して光ピックアップの対物レンズを介してレーザ光を照射可能なテーブルと
を備えた情報記録再生装置。
【発明の詳細な説明】
【技術分野】
【０００１】
本発明は、光ピックアップに関し、さらに詳しくは、ＣＤ、ＤＶＤ、青色レーザを使用する次世代光ディスクシステム等の情報記録媒体に対する信号の記録・再生・消去を行うことが可能な光ピックアップに関するものである。
【背景技術】
【０００２】
従来の光ピックアップ（以下、光ピックアップ装置と称することもある）の一例として、ＣＤ・ＤＶＤの両記録メディア或いはそのどちらか一方の記録・再生・消去に受発光一体型素子を利用した光ピックアップを図１０〜１２に示す。
図１０は従来の光ピックアップの全体構成の概略説明図、図１１は図１０の平面図、図１２は図１１の要部断面図である。
【０００３】
図１０において、受発光一体型素子（１１）から出射された放射光はダイクロイックプリズム（１２）を反射又は透過し、コリメートレンズ（１３）で平行光となった後、立ち上げミラー（１４）で図１の上方向に反射される。その後、駆動制御可能なレンズ設置台（１５）に取りつけられた対物レンズとしての集光レンズ（１６）を通過させることで、平行光は収束光となり記録媒体である光ディスク（１７）上の一点で収束し反射される。
【０００４】
次いで、反射光は再び集光レンズ（１６）を通過して戻る際に平行光となり、立ち上げミラー（１４）で反射され、コリメートレンズ（１３）を通過しダイクロイックプリズム（１２）で反射又は透過して往路と逆の順路で受発光一体型素子（１１）に戻る。
戻り光は、受発光一体型素子（１１）表面の回折格子で分光され受光部に至り、光信号から電気信号へと変換され、情報の再生・記録・消去や、サーボ信号として利用される。なお、１８は光ピックアップのハウジングである。
【０００５】
上記構成の光ピックアップは、最近需要が非常に高まっている、自動車に搭載されるカーナビゲーションシステムや、青色レーザを使用して高密度情報を取り扱う次世代光ディスクシステムに対応するために、高品位なスポットで光ディスク上の情報を記録・再生することが必要となっている。
また、対物レンズ毎に樹脂レンズの複屈折の影響が最小となる方向にレンズ接着位置を決めてからレンズ設置台へのレンズ取り付けを行っていたが、様々な光学部品（レンズ、ミラー、プリズムなど）との組合せにより、レンズの方向を固定すると性能にバラツキが出て、歩留まり低下の要因となっている。
【０００６】
そこで、このような光ピックアップの対物レンズ（集光レンズ）は、その光軸の周りにレンズホルダ（レンズ設置台）に対して回転可能に設置され、しかる後、対物レンズが直接回転されて、対物レンズごとに複屈折の影響が最小となるように位置決めすることが提案されている（特許文献１参照）。
【０００７】
一方、光ピックアップは、図１１および１２において、その対物レンズ（１６）が、光ディスク（１７）に近づけられるので、衝突して相互に傷つけられるおそれがある。そこで、このような衝突を防止するために、レンズホルダ（１５）に、突出するストッパ部（２０）を設けることが提案されている。なお、２１はＡＣＴの発振を抑え、重心を合わせるバランサである。以上の構成の光ピックアップで、具体的にそのようなストッパ部を提案した例としては、特許文献２が挙げられる。
【特許文献１】特開２００４−２５３０８０号公報
【特許文献２】特開２００２−１９７７０４号公報
【発明の開示】
【発明が解決しようとする課題】
【０００８】
本発明の主要な目的は、高品位でありながら、より確実に対物レンズおよび光ディスクを保護できる光ピックアップを提供することである。
【課題を解決するための手段】
【０００９】
本発明は、レーザ光を収束して情報記録媒体に照射するための対物レンズと、
該対物レンズの周縁を囲み、該対物レンズの光軸を中心とした円形状の外周縁を有し、該対物レンズと連動して回転する回転枠体と、
該回転枠体を回転可能に支持する凹段部を有し、回転調整後、該回転枠体と結合されるレンズホルダと、
該回転枠体から情報記録媒体側に突出した突出部とを備えたことを特徴とする光ピックアップを提供する。
【発明の効果】
【００１０】
本発明によれば、対物レンズの周縁を囲み、該対物レンズの光軸を中心とした円形状の外周縁を有し、該対物レンズと連動して回転する回転枠体を設けることにより、対物レンズを回転調整できるようにし、しかもこの回転枠体に突出部を設けることにより、対物レンズ周縁の、より対物レンズに近いところで対物レンズと情報記録媒体が直接衝突することを防止でき、それによって対物レンズの回転調整操作を容易にすると共に対物レンズおよび情報記録媒体双方の損傷を確実に防止することができる。
【発明を実施するための最良の形態】
【００１１】
まず、本発明が対象とする光ピックアップは、レーザ素子より放射されるレーザビームを収束して情報記録媒体に照射し、該情報記録媒体からの反射光を受光して情報を再生または／および記録する装置であり、光ピックアップ装置と称されることもある。
【００１２】
本発明に係る光ピックアップは、レーザ光を収束して情報記録媒体に照射するための対物レンズと、該対物レンズの周縁を囲み、該対物レンズの光軸を中心とした円形状の外周縁を有し、該対物レンズと連動して回転する回転枠体と、該回転枠体を回転可能に支持する凹段部を有し、回転調整後、該回転枠体と結合されるレンズホルダと、該回転枠体から情報記録媒体側に突出した突出部とを備えたことを特徴とする。
【００１３】
本発明において、レンズホルダ（レンズ設置台）は、回転枠体を回転可能に支持する凹段部を有し、対物レンズの複屈折の影響が最小となるように対物レンズと連動して回転する回転枠体を回転調整した後、回転枠体と結合される。回転枠体は円形状の外周縁を有するので、レンズホルダの凹段部に沿って回転調整が容易である。
本発明においては、対物レンズを回転調整するために、対物レンズ周縁、特に情報記録媒体側周縁を囲み、該対物レンズの光軸を中心に連動して回転する回転枠体が設置される。例えば、対物レンズがその外縁に半径方向外向きに延びる延伸部、具体的には棒状体を備え、回転枠体が前記延伸部に係合する係合部、具体的には係合凹部を備えると、回転枠体を介して対物レンズが連動して回転する機構がより簡単になる。
【００１４】
本発明において、対物レンズは、その外周縁が円形からその一部の円弧状部分を除去した変円形であり、対物レンズの延伸部が、対物レンズの除去された円弧状部分の範囲内に収まるように、つまり対物レンズの外縁の仮想円周部からはみ出さないように構成すると、対物レンズの延伸部を半径方向に短くできる。また対物レンズ自体の形状が円に近いため、対物レンズを回転機構へ保持する際に、回転位置を特定する必要がないため、配置が容易であるとともに、延伸部の周辺を利用し、接着材を塗布できる。また、回転機構の対物レンズとの結合面の形状を対物レンズの外縁形状に合わせた形状とすれば、対物レンズと回転機構の連動が簡易的に達成できる。
【００１５】
本発明において、対物レンズの延伸部を、対物レンズ成形時のゲートで得られる樹脂部分とすれば、延伸部を別途、型で成形する必要がないので好ましい。
対物レンズは、その材質を、オレフィン系樹脂などの合成樹脂とすることによって、軽量で、かつ安価に提供できる。
【００１６】
回転枠体に備えられた突出部は、手動（ピンセットなどを使用）や、自動（治具装置などを使用）で回転調整をする際に枠体を支持するつまみともなる。さらに、回転枠体から情報記録媒体側に突出した突出部に、突出方向から見て中央位置に、凹部を設けることにより、手動や自動で回転調整をする際のより支持しやすい形状となり、より好ましい。
さらに、上記突出部は、４個以上であって、回転枠体の回転軸を中心とする円周上で等角度間隔になるように設けると、どんな回転角度位置で固定しても対物レンズの衝突防止をより確実に防止できるので好ましい。
【００１７】
本発明において、対物レンズを回転枠体に装着固定する場合、前記回転枠体の前記対物レンズとの結合面には、対物レンズに対向した切欠（例えば、約0.2ｃｃの空隙）を有しておくと、接着剤が回転枠体と対物レンズとの間以外の部分への流失または回り込みを防止できる。また、対物レンズを装着または場合によって脱着する際に、対物レンズを支持する治具の逃げ部として有効である。
【００１８】
さらに、回転枠体がその外周縁に歯部を有し、レンズホルダに形成された凹段部に回転枠体の歯部を解除可能に係合させるためのストッパを有すると、回転枠体を通じて対物レンズを回転調整する際に、回転枠体の回転調整後の位置を保持しやすくなるため、その後の接着剤の注入などによる回転枠体とレンズホルダとの結合操作が容易になる。そして、回転枠体の固定作業が安定し、高品位の光ピックアップの作製が可能となる。
【００１９】
また、回転枠体がその外周縁に歯部を有し、レンズホルダに形成された凹段部に、回転枠体の歯部と解除可能に噛み合い、対物レンズを回転させるための駆動歯車を備えると、この駆動歯車と回転枠体を介して対物レンズを回転でき、それによって対物レンズにピンセットや治具が触れて対物レンズを傷つけることを防ぐとともに、回転の微調整を行うことが出来る。
【００２０】
本発明は、別の観点によれば、レーザ素子より放射されるレーザ光を収束して情報記録媒体に照射し、該情報記録媒体からの反射光を受光して情報を再生または／および記録する情報記録再生装置において、
レーザ光を収束して情報記録媒体に照射するための対物レンズと、該対物レンズの周縁を囲み、該対物レンズの光軸を中心とした円形状の外周縁を有し、該対物レンズと連動して回転する回転枠体と、該回転枠体を回転可能に支持する凹段部を有し、回転調整後、該回転枠体と結合されるレンズホルダと、該回転枠体から情報記録媒体側に突出した突出部とを備えた光ピックアップと、
情報記録媒体を装着でき、該情報記録媒体に対して光ピックアップの対物レンズを介してレーザ光を照射可能なテーブルと
を備えた情報記録再生装置を提供できる。
【００２１】
以下、本発明に係る光ピックアップの実施の形態を図面に基づいて説明する。
＜実施の形態１＞
図１は本発明に係る光ピックアップの実施の形態１を示す全体構成の概略説明図、図２は図１の平面図、図３は図２の要部拡大断面図、図４は要部拡大平面図である。
【００２２】
まず、図１に示す光ピックアップＨにおいて、受発光一体型素子１１から出射された放射光はダイクロイックプリズム１２を反射又は透過し、コリメートレンズ１３で平行光となった後、立ち上げミラー１４で図１の上方向に反射される。その後、駆動制御可能なレンズホルダ１５に取りつけられた対物レンズ１６を通過させることで、平行光は収束光となり記録媒体である光ディスク１７上の一点で収束し反射される。
【００２３】
次いで、反射光は再び集光レンズ１６を通過して戻る際に平行光となり、立ち上げミラー１４で反射され、コリメートレンズ１３を通過しダイクロイックプリズム１２で反射又は透過して往路と逆の順路で受発光一体型素子１１に戻る。
戻り光は、受発光一体型素子１１表面の回折格子で分光され受光部に至り、光信号から電気信号へと変換され、情報の再生・記録・消去や、サーボ信号として利用される。なお、１８は光ピックアップＨのハウジングである。
【００２４】
次に、図１〜４において、光ピックアップＨは、レーザ光を収束して情報記録媒体としての光ディスク１７に照射するためのオレフィン系樹脂材料からなる対物レンズ（集光レンズ）１６と、対物レンズ１６の周縁を囲み、対物レンズ１６の光軸を中心とした円形状の外周縁を有し、該対物レンズ１６と連動して回転する回転枠体１９と、回転枠体１９を回転可能に支持する凹段部１０を有し、回転調整後、該回転枠体１９と結合されるレンズホルダ１５と、この回転枠体１９から光ディスク１７方向に回転枠体１９の回転軸を中心として円周上で等角度間隔になるように４つの突出部２０、２０、・・・とを備えている。
【００２５】
かくして、対物レンズ１６に、その周縁を囲み、対物レンズ１６の光軸を中心として連動して回転する回転枠体１９を設けているので、回転枠体１９を回転（回動）させることによって対物レンズ１６を容易に回転調整できる。
また、この回転枠体１９には、光ディスク１７方向に向けて突出部２０を有していて、対物レンズ１６と光ディスク１７との衝突を防止することが出来るとともに、突出部２０をつまんで手動（ピンセットなどで）または自動（治具装置などで）にて回転枠体１９を回転させることができ、対物レンズ１６の複屈折の影響が最小となるように調整する操作を容易にすることができる。
【００２６】
回転枠体１９に対物レンズ１６を取り付ける際には、取り付け方向を規定する必要がなく、回転調整および固定操作が極めて容易になり、各々の光ピックアップ毎に高品位なスポット状態を作製することが可能となる。
【００２７】
＜実施の形態２＞
図５は本発明に係る実施の形態２を示す実施形態１での図４相当図である。
図５において、レーザ光を収束して情報記録媒体としての光ディスク（図示省略）に照射するためのオレフィン系樹脂材料からなる対物レンズ（集光レンズ）２６と、対物レンズ２６の周縁を囲み、対物レンズ２６の光軸を中心とした円形状の外周縁を有し、該対物レンズ２６と連動して回転する回転枠体２９と、回転枠体を回転可能に支持する凹段部（図示省略）を有し、回転調整後、該回転枠体２９と結合されるレンズホルダ２５と、この回転枠体２９から光ディスク方向に回転枠体２９の回転軸を中心として円周上で等角度間隔になるように４つの突出部２０、２０、・・・を備えている。
なお、その他の構成は、実施の形態１と同様であり説明を省略する。
【００２８】
かくして、対物レンズ２６に、その周縁を囲み、対物レンズ２６の光軸を中心として連動して回転する回転枠体２９を設けているので、回転枠体２９を回転（回動）させることによって対物レンズ２６を容易に回転調整できる。
また、この回転枠体２９には、光ディスク方向に向けて突出部を有していて、対物レンズ２６と光ディスクとの衝突を防止することが出来るとともに、突出部３０を利用して手動（ピンセットなどで）または自動（治具装置などで）にて回転枠体２９を回転させることができ、対物レンズ２６の複屈折の影響が最小となるように調整する操作を容易にすることができる。
【００２９】
ここで、これらの衝突防止用突出部３０には、突出方向から見て先端の中央位置に、凹部３０ａを有しており、回転枠体２９を回転させる際に、この凹部３０ａを手動または自動の引掛り部として利用することで、回転枠体２９を容易に回転できる。
【００３０】
さらに、回転枠体２９の対物レンズ２６との結合面において、対物レンズ２６に対向した回転枠体２９に、切欠２９ａを等間隔で４箇所に有している。この切欠２９ａに液状の接着剤（例えば、紫外線硬化型アクリル系樹脂材料）を滴下して、接着剤の流出を防ぐことが出来る。また、対物レンズ２６を回転枠体２９に装着する際、あるいは接着剤の滴下前の時点で対物レンズ２６を回転枠体２９から脱着する際には対物レンズを支持する治具の逃げ部として有効である。
【００３１】
回転枠体２９に対物レンズ２６を取り付ける際には、予め取り付け方向を規定するなく、回転調整および固定操作が極めて容易になり、各々の光ピックアップ毎に高品位なスポット状態を作製することが可能となる。
【００３２】
＜実施の形態３＞
図６は本発明に係る実施の形態３を示す構成説明平面図であり、左から対物レンズ、回転枠体およびこれらの組み立て形態を示す。
図６において、レーザ光を収束して情報記録媒体としての光ディスク（図示省略）に照射するためのオレフィン系樹脂材料からなる対物レンズ（集光レンズ）３６と、対物レンズ３６の周縁を囲み、対物レンズ３６の光軸を中心とした円形状の外周縁を有し、該対物レンズ３６と連動して回転する回転枠体３９を備えている。
なお、その他の構成は、実施の形態１と同様であり説明を省略する。
【００３３】
かくして、対物レンズ３６に、その周縁を囲み、対物レンズ３６の光軸を中心として連動して回転する回転枠体３９を設けているので、回転枠体３９を回転（回動）させることによって対物レンズ３６を容易に回転調整できる。
なお、対物レンズ３６は、その外周縁が円形からその一部の円弧状部分を除去した変円形であり、その除去した部分に、延伸部としての凸条部３６ａを形成している。
これに対応して、回転枠体３９もその孔部分を変円形とし、一対の凸形状の固定機構３９ａ・３９ａを形成している。かくして、対物レンズ３６の凸条部３６ａが、囲い部分Ａで示すように一対の凸形状の固定機構３９ａ・３９ａの間に押し込まれ、それによって対物レンズ３６が回転枠体３９に、対物レンズの光軸を中心として連動して回転可能に連結される。
【００３４】
また、この回転枠体３９には、光ディスク（図示省略）方向に向けて突出部４０を有していて、対物レンズ３６と光ディスク３７との衝突を防止することが出来るとともに、突出部４０をつまんで手動（ピンセットなどで）または自動（治具装置などで）にて回転枠体３９を回転させることができ、対物レンズ３６の複屈折の影響が最小となるように調整する操作を容易にすることができる。
【００３５】
ここで、上記突出部４０には、突出方向から見て先端の中央位置に、凹部４０ａを有している。回転枠体３９を回転させる際に、この凹部４０ａを手動または自動の対物レンズ回転位置調整作業の際の引掛り部として利用し、回転枠体３９を回転することによって、対物レンズ３６の複屈折の影響が最小となるように調整する操作を容易にすることが出来る。
【００３６】
＜実施の形態４＞
図７は本発明に係る実施の形態４を示す要部拡大図である。
図７において、対物レンズ４６と連動して回転する回転枠体４９は、その外周縁に歯部４９ａを有し、レンズホルダ４５が、対物レンズ４６と連動した回転枠体４９を回転調整する際に、回転枠体４９の歯部４９ａに解除可能に係合させるためのストッパ４９ｂを有する。この構成によって、回転枠体４９の回転調整後の位置を正確に保持することができ、その後の接着作業の際、回転枠体４９の位置ずれが生じず、精度の高い回転位置調整が可能となる。また、対物レンズ４６付近に触れることがないため、対物レンズ４６を傷つける危険性を低減できる。なお、５０は回転枠体４９から突出する突出部である。その他の構成は、実施の形態１と同様であり説明を省略する。
【００３７】
＜実施の形態５＞
図８は、本発明に係る光ピックアップの実施の形態５を示す実施の形態４で説明した図７相当図、図９はこの実施の形態５の実施の形態１で説明した図２相当図である。
図８および９において、対物レンズ５６と連動して回転する回転枠体５９は、その外周縁に歯部５９ａを有し、レンズホルダ５５が、対物レンズ５６と連動した回転枠体５９を回転調整する際に、回転枠体５９の歯部５９ａに解除可能に噛み合う歯部５９ｃを有し対物レンズ５６を回転させるための駆動歯車５９ｂを備えている。
【００３８】
この構成によって、回転枠体５９の回転角の微妙な調整を正確に行うことができるとともに、回転枠体５９の回転調整後の位置を正確に保持することができるため、その後の接着作業の際、回転枠体５９の位置ずれが生じず、精度の高い回転位置調整が可能となる。また、対物レンズ５６付近に触れることがないため、対物レンズ５６を傷つける危険性を低減できる。なお、６０は回転枠体５９から突出する突出部である。その他の構成は、実施の形態１と同様であり説明を省略する。
【００３９】
以上のごとく、本発明に係る光ピックアップは、対物レンズの複屈折の影響が最小となるように調整する工程に関して、対物レンズの周縁を囲み、該対物レンズの光軸を中心とした円形状の外周縁を有し、該対物レンズと連動して回転する回転枠体を回転調整行うことによって、調整時の対物レンズへの損傷防止が果たせるとともに、この回転枠体回転枠体から情報記録媒体側に突出した突出部によって、対物レンズの回転調整操作性向上と衝突防止とを確実にすることができる。
【００４０】
そこで、本発明に係る光ピックアップは、車載用光ピックアップのみでなく、従来の薄型ノート型パソコン内蔵用、青色レーザを使用する次世代光ディスクシステム用の光ピックアップ装置において、高性能、高信頼性光ピックアップを安定して提供することが可能となり、光ピックアップ装置の高性能化、歩留まり改善によりコストダウンにつながる。
【図面の簡単な説明】
【００４１】
【図１】本発明に係る光ピックアップの実施の形態１を示す全体構成の概略説明図である。
【図２】図１の平面図である。
【図３】図２の要部拡大断面図である。
【図４】図２の要部拡大平面図である。
【図５】本発明に係る光ピックアップの実施の形態２を示す図４相当図である。
【図６】本発明に係る光ピックアップの実施の形態３を示す構成説明平面図であり、左から対物レンズ、回転枠体およびこれらの組み立て体を示す。
【図７】本発明に係る光ピックアップの実施の形態４を示す要部拡大図である。
【図８】本発明に係る光ピックアップの実施の形態５を示す図７相当図である。
【図９】実施の形態５を示す図２相当図である。
【図１０】従来の光ピックアップの全体構成の概略説明図である。
【図１１】図１０の平面図である。
【図１２】図１１の要部断面図である。
【符号の説明】
【００４２】
１０：凹段部
１１：受発光一体型素子
１２：ダイクロイックプリズム
１３：コリメートレンズ
１４：立ち上げミラー
１５：レンズホルダ
１６：対物レンズ
１７：光ディスク
１８：ハウジング
１９：回転枠体
２０：突出部
【図２】
2008243287.tif 000003
【図３】
2008243287.tif 000004
【図４】
2008243287.tif 000005
【図５】
2008243287.tif 000006
【図６】
2008243287.tif 000007
【図７】
2008243287.tif 000008
【図８】
2008243287.tif 000009
【図９】
2008243287.tif 000010
【図１１】
2008243287.tif 000011
【図１２】
2008243287.tif 000012
【図１】
2008243287.tif 000013
【図１０】
2008243287.tif 000014